(57)【要約】【課題】調理時間によって仕上がり状態が決まってしまう、例えばゆで卵調理のような場合に、その調理のための操作等を簡素化して使い勝手を向上させる。【解決手段】鍋に水と卵を入れてガスコンロ部に載せ、「固ゆで」や「半熟」といった仕上がり状態をゆで卵調理用のメニュースイッチ２２で選択して加熱を開始すると、鍋底の検出温度に基づいて、沸騰状態が検出されて、「固ゆで」や「半熟」に応じたタイマ時間の計測が開始されると共に、沸騰状態を維持するように火力が切替え制御され、タイマ時間が経過すると、加熱を停止する。これによって、沸騰状態の確認やタイマ時間の設定操作を不要とする。【選択図】図３
2014188025.tif 000002
【特許請求の範囲】
【請求項１】
調理容器を加熱する加熱手段と、前記調理容器の温度を検出する温度検出手段と、前記温度検出手段によって検出される検出温度に基づいて、前記加熱手段を制御する制御手段とを備える加熱調理器であって、
複数種類の仕上がり状態を選択可能な調理モードの、いずれかの種類の前記仕上がり状態を選択するために操作される操作手段を備え、
前記制御手段は、前記複数種類の仕上がり状態にそれぞれ対応するタイマ時間が予め記憶されている記憶部と、前記操作手段で選択される仕上がり状態に対応する前記タイマ時間を計測するタイマ計測部とを有し、
前記制御手段は、前記いずれかの種類の仕上がり状態が選択されると、前記検出温度に基づいて検出される沸騰温度及び平衡温度の少なくもいずれか一方の温度の検出時点によって規定される計測開始時点から、前記タイマ計測部による前記タイマ時間の計測を開始する一方、前記平衡温度を検出した後は、前記検出温度に基づいて、前記調理容器内の沸騰状態を維持するように、前記加熱手段の加熱力を切替え制御する、
ことを特徴とする加熱調理器。
【請求項２】
前記制御手段は、前記平衡温度を検出した後は、前記検出温度が、前記平衡温度よりも低い第２設定温度まで下降すると、前記加熱手段の加熱力を強めの加熱力に、前記検出温度が、前記平衡温度よりも低く、かつ、前記第２設定温度よりも高い第１設定温度まで上昇すると、前記加熱手段の加熱力を弱めの加熱力に切替え制御する、
請求項１に記載の加熱調理器。
【請求項３】
前記調理モードがゆで卵調理モードであり、前記複数種類の仕上がり状態が、固ゆで及び半熟の仕上がり状態である、
請求項１または２に記載の加熱調理器。
【請求項４】
前記沸騰状態で、前記調理容器へ卵を投入する場合に操作される操作部を備え、
前記制御手段は、前記タイマ計測部による前記タイマ時間の計測中に、前記操作部による操作がされたときには、その操作時点以降に、前記タイマ計測部による前記タイマ時間の計測を、改めて開始する、
請求項３に記載の加熱調理器。
【請求項５】
前記複数種類の仕上がり状態には、白身は固まらず黄身だけが固まる温泉卵の仕上がり状態を含み、
前記制御手段は、前記操作手段で前記温泉卵の仕上がり状態が選択されたときには、前記計測開始時点に代えて、前記操作部による操作がされた時点以降に、前記タイマ時間の計測を開始すると共に、前記加熱手段による加熱を停止させる、
請求項４に記載の加熱調理器。
【発明の詳細な説明】
【技術分野】
【０００１】
本発明は、加熱調理器に関し、更に詳しくは、ゆで卵調理などに好適な加熱調理器に関する。
【背景技術】
【０００２】
従来から、調理時間をタイマで設定することによって、設定されたタイマ時間に亘って加熱調理を実行するタイマ機能を備えた加熱調理器がある（例えば、特許文献１参照）。
【先行技術文献】
【特許文献】
【０００３】
【特許文献１】特開２０１０−２５５９４９号公報
【発明の概要】
【発明が解決しようとする課題】
【０００４】
従来の加熱調理器では、調理の仕上がり状態が、調理時間によって略一義的に決まってしまうような調理、例えば、ゆで卵調理のように、沸騰してからの調理時間によって、「固ゆで」、「半熟」といった仕上がり状態が決まっているような場合であっても、沸騰状態となったことを確認し、例えば、１０分や５分といった加熱時間を、タイマ時間設定用の分キーなどを繰り返し操作して所望のタイマ時間を設定しなければならず、沸騰状態の確認及び分キーなどの繰返し操作が必要であり、使い勝手の悪いものであった。
【０００５】
本発明は、このような実情に着目してなされたものであって、調理時間によって調理の仕上がり状態が決まってしまうような調理の場合に、その調理のための設定操作を簡素化して使い勝手を向上させることを目的とする。
【課題を解決するための手段】
【０００６】
上記目的を達成するために、本発明では次のように構成している。
【０００７】
（１）本発明は、調理容器を加熱する加熱手段と、前記調理容器の温度を検出する温度検出手段と、前記温度検出手段によって検出される検出温度に基づいて、前記加熱手段を制御する制御手段とを備える加熱調理器であって、
複数種類の仕上がり状態を選択可能な調理モードの、いずれかの種類の前記仕上がり状態を選択するために操作される操作手段を備え、
前記制御手段は、前記複数種類の仕上がり状態にそれぞれ対応するタイマ時間が予め記憶されている記憶部と、前記操作手段で選択される仕上がり状態に対応する前記タイマ時間を計測するタイマ計測部とを有し、
前記制御手段は、前記いずれかの種類の仕上がり状態が選択されると、前記検出温度に基づいて検出される沸騰温度及び平衡温度の少なくもいずれか一方の温度の検出時点によって規定される計測開始時点から、前記タイマ計測部による前記タイマ時間の計測を開始する一方、前記平衡温度を検出した後は、前記検出温度に基づいて、前記調理容器内の沸騰状態を維持するように、前記加熱手段の加熱力を切替え制御する。
【０００８】
ここで、沸騰温度及び平衡温度の少なくもいずれか一方の温度の検出時点によって規定される計測開始時点とは、沸騰温度の検出時点、平衡温度の検出時点、又は、沸騰温度の検出時点及び平衡温度の検出時点のいずれかによって規定される計測開始時点をいい、例えば、沸騰温度の検出時点を計測開始時点としてもよいし、平衡温度の検出時点を計測開始時点としてもよいし、沸騰温度の検出時点と平衡温度の検出時点との、例えば中間の時点を計測開始時点としてもよく、あるいは、沸騰温度の検出時点等から所定時間、例えば、数分遅れた時点を計測開始時点としてもよく、沸騰温度及び平衡温度の少なくもいずれか一方の温度の検出時点によって、計測開始時点を規定すればよい。
【０００９】
記憶部には、前記計測開始時点に応じたタイマ時間が記憶されている。
【００１０】
本発明によると、操作手段によって、複数種類の仕上がり状態を選択可能な調理モードの、いずれかの仕上がり状態を選択すると、調理容器の検出温度に基づいて検出される沸騰温度または平衡温度の検出時点によって規定される計測開始時点から、選択された仕上がり状態に対応するタイマ時間の計測が開始される、すなわち、複数種類の仕上がり状態のいずれかの仕上がり状態を選択操作するだけで、タイマ時間を設定することなく、タイマ時間に応じた加熱調理が実行されるので、従来例のように、タイマ設定用の分キーを繰り返して操作してタイマ時間を設定する必要がなく、操作が簡単となる。
【００１１】
しかも、平衡温度を検出した後は、検出温度に基づいて、沸騰状態を維持するように加熱手段の加熱力を切替え制御するので、タイマ計測部によって計測されるタイマ時間は、沸騰状態での経過時間となり、このため、従来例のように、使用者が、沸騰状態になったことを確認して、タイマ時間を設定する必要がなく、使い勝手が向上する。
【００１２】
（２）本発明の好ましい実施態様では、前記制御手段は、前記平衡温度を検出した後は、前記検出温度が、前記平衡温度よりも低い第２設定温度まで下降すると、前記加熱手段の加熱力を強めの加熱力に、前記検出温度が、前記平衡温度よりも低く、かつ、前記第２設定温度よりも高い第１設定温度まで上昇すると、前記加熱手段の加熱力を弱めの加熱力に切替え制御する。
【００１３】
この実施態様によると、平衡温度を検出した後は、調理容器の検出温度が、平衡温度よりも低い第２設定温度まで下降すると、加熱手段の加熱力を強めの加熱力に、平衡温度よりも低く、かつ、第２設定温度よりも高い第１設定温度まで上昇すると、加熱手段の加熱力を弱めの加熱力に、切替え制御するので、調理容器の温度は、平衡温度より低い第１，第２設定温度に基づく温度範囲に制御されることになり、調理容器内の加熱対象物を、沸騰状態に維持することができる。
【００１４】
（３）本発明の他の実施態様では、前記調理モードがゆで卵調理モードであり、前記複数種類の仕上がり状態が、固ゆで及び半熟の仕上がり状態である。
【００１５】
ゆで卵調理では、沸騰してからの加熱時間によって、「固ゆで」、「半熟」といった仕上がり状態が決まってしまうので、この実施態様によると、「固ゆで」や「半熟」の仕上がり状態を選択設定することによって、沸騰状態となっている計測開始時点から、選択された仕上がり状態に対応するタイマ時間の計測が開始されて調理が実行されるので、従来例のように、使用者が、沸騰状態になったことを確認して、タイマ設定用の分キーを繰り返して操作してタイマ時間を設定する必要がなくなり、極めて簡単な操作でゆで卵調理が行なえる。
【００１６】
（４）上記(３)の実施態様では、前記沸騰状態で、前記調理容器へ卵を投入する場合に操作される操作部を備え、前記制御手段は、前記タイマ計測部による前記タイマ時間の計測中に、前記操作部による操作がされたときには、その操作時点以降に、前記タイマ計測部による前記タイマ時間の計測を、改めて開始するようにしてもよい。
【００１７】
調理容器へ卵を投入する場合に操作される操作部は、複数の仕上がり状態のいずれかの仕上がり状態を選択するために操作される操作手段で兼用するのが好ましい。
【００１８】
ゆで卵調理では、使用者によっては、卵の殻を剥き易くするため、沸騰後に卵を投入する場合があるが、この実施態様によれば、沸騰状態で卵を投入した場合には、使用者によって操作部が操作され、それ応じて、タイマ計測部によるタイマ時間の計測が、再度、開始されるので、かかる場合にも、「固ゆで」や「半熟」に応じたタイマ時間が正しく計測されて調理されることになる。
【００１９】
（５）上記（４）の実施態様では、前記複数種類の仕上がり状態には、白身は固まらず黄身だけが固まる温泉卵の仕上がり状態を含み、前記制御手段は、前記操作手段で前記温泉卵の仕上がり状態が選択されたときには、前記計測開始時点に代えて、前記操作部による操作がされた時点以降に、前記タイマ時間の計測を開始すると共に、前記加熱手段による加熱を停止させる。
【００２０】
この実施態様によると、操作手段で温泉卵の仕上がり状態が選択され、使用者が、沸騰状態で卵を投入して操作部を操作すると、それに応じて、タイマ時間の計測を開始する一方、加熱手段による加熱を停止させるので、沸騰状態を維持したままでは、調理できない温泉卵の調理も可能となる。
【発明の効果】
【００２１】
このように、本発明によれば、沸騰状態での調理時間によって調理の仕上がり状態が決まってしまうような調理の際に、沸騰状態の確認やタイマ時間設定のための分キー等の繰返し操作を不要とし、仕上がり状態の選択操作という簡単な操作のみでよく、使い勝手が向上する。
【図面の簡単な説明】
【００２２】
【図１】本発明の一実施形態に係る加熱調理器の斜視図である。
【図２】図１の加熱調理器の燃料供給路の説明図である。
【図３】ガスコンロ用調理設定入力部の正面図である。
【図４】ゆで卵調理モードにおける火力及び鍋の温度変化を示す図である。
【図５】ゆで卵調理モードにおいて、卵を沸騰後に投入した場合の火力及び鍋の温度変化を示す図である。
【発明を実施するための形態】
【００２３】
以下、本発明の実施形態について図面を参照しながら説明する。
【００２４】
この実施形態では、加熱調理器として、グリル付きガスコンロに適用して説明する。
【００２５】
この実施形態のグリル付きガスコンロＡは、図１に示すように、コンロ本体１の上部に、最大火力の異なるコンロバーナからなる３つのガスコンロ部２ａ〜２ｃを備え、コンロ本体１の左右中央には、グリルバーナ（図示せず）を内装すると共に、グリル扉３ａを前方に備えるグリル皿（図示せず）を前面から出し入れ可能に装着したグリル３を備えている。
【００２６】
このグリル付きガスコンロＡは、図示しないキッチンキャビネットに落とし込み装着されるビルトインタイプである。
【００２７】
コンロ本体１の上部は、天板４で覆われると共に、コンロ奥端の上面にグリル３の燃焼排ガスを排出するためのグリル排気口５が設けられている。
【００２８】
この実施形態では、天板４の手前側の左右に配設したガスコンロ部２ａ，２ｂの一方（左側）が、標準火力のガスコンロ部２ａとなっており、他方(右側)が、高火力のガスコンロ部２ｂとなっている。また、奥側の中央部に配設したガスコンロ部２ｃが、小火力のガスコンロ部２ｃとなっている。各ガスコンロ部２ａ〜２ｃには、調理容器、例えば鍋の底部の温度を検出するサーミスタからなる温度センサ７ａ〜７ｃがそれぞれ装備されていると共に、対応する五徳６ａ〜６ｃがそれぞれ載置されている。
【００２９】
各ガスコンロ部２ａ〜２ｃには、図示していないが、コンロバーナに点火する点火装置としての点火プラグと、コンロバーナの着火を検出する着火検出装置としての熱電対とが設けられ、グリル３にも同様に、グリルバーナに点火する点火装置としての点火プラグと、グリルバーナの着火を検出する着火検出装置としての熱電対が設けられる。点火プラグは、後述する加熱状態調節部１２ａ〜１２ｃにおける点火操作によってマイクロコンピュータからなる制御部１１（図２参照）により点火動作が行われ、熱電対において検出された着火（点火）情報は制御部１１に認識されて、制御部１１により点火プラグでの点火処理を終了する。
【００３０】
各コンロバーナ及びグリルバーナには、図２に示すように、都市ガス等のガス燃料を供給する燃料供給路８からそれぞれ分岐する分岐供給路８ａが接続されている。なお、この図２では、ガスコンロ部２ａのコンロバーナのみを代表的に示している。燃料供給路８には、電磁弁９が設けられると共に、各分岐供給路８ａには、ガス燃料の供給量の調節を行うために、ステッピングモータにより駆動されて弁体の開度位置の微調整が可能な流量制御弁１０と、前記弁体の開度位置を検出する位置センサ（図示せず）が設けられている。電磁弁９及び流量制御弁１０は、制御部１１によって制御され、位置センサにおける検出情報は、制御部１１によって認識・処理される。また、流量制御弁１０は、対応するコンロバーナ又はグリルバーナが使用されない時には、流量を零にして遮断状態となるように切り換えられる。
【００３１】
図１に示すように、コンロ本体１の前面の左右上部には、各ガスコンロ部２ａ〜２ｃのコンロバーナの点火、消火、火力調節の操作をそれぞれ行うための３つの加熱状態調節部１２ａ〜１２ｃが設けられている。この実施形態では、前面の左側に、標準火力のガスコンロ部２ａの加熱状態調節部１２ａを配設し、前面の右側に、高火力のガスコンロ部２ｂの加熱状態調節部１２ｂ及び小火力のガスコンロ部２ｃの加熱状態調節部１２ｃを配設している。
【００３２】
また、前面の右側上部には、制御部１１をはじめ電磁弁９や流量制御弁１０、入力部や加熱状態調節部１２ａ〜１２ｃ等の各部への通電の入切を行う自動復帰型で押し釦式の電源スイッチ１３が設けられている。
【００３３】
上記各加熱状態調節部１２ａ〜１２ｃは、前後方向に移動自在な押釦により構成され、ガスコンロ部２ａ〜２ｃの使用に当たっては、押釦よりなる加熱状態調節部１２ａ〜１２ｃを押圧して点火操作をすることで、後退していた加熱状態調節部１２ａ〜１２ｃが前方に突出して器具栓がＯＮとなり、流出するガス燃料にスパーク放電がなされてガスコンロ部２ａ〜２ｃのコンロバーナに点火される。
【００３４】
この押釦よりなる加熱状態調節部１２ａ〜１２ｃが前方に突出した状態で加熱状態調節部１２ａ〜１２ｃを指で摘んで回動操作すると、前記回動角度がロータリーエンコーダにより検出されて制御部１１に認識され、前記回動角度に応じた開度位置となるようにステッピングモータにより流量制御弁１０の弁体が駆動されてガス流量が制御され、ガスコンロ部２ａ〜２ｃの火力が、「１」〜「５」の５段階で制御できるようになっている。一方、消火にあたっては、前方に突出している加熱状態調節部１２ａ〜１２ｃを後方に押圧操作することで器具栓がＯＦＦとなってガスコンロ部２ａ〜２ｃのコンロバーナが消火される。
【００３５】
コンロ本体１の前面の左右の下部には、操作パネル１４，１５が収納自在に設けられている。右側の操作パネル１５には、グリル３に関する操作を行うためのグリル用調理設定入力部１６が設けられ、この操作パネル１５がグリル側操作パネルとなり、左側の操作パネル１４には、標準火力のガスコンロ部２ａによる調理設定の入力を行うためのガスコンロ用調理設定入力部1７が設けられ、この操作パネル１４がコンロ側操作パネルとなっている。
【００３６】
図３はガスコンロ用調理設定入力部１７を示している。標準火力のガスコンロ部２ａによる調理設定の入力を行うためのガスコンロ用調理設定入力部１７は、ガスコンロ部２ａによる調理時間を設定するためのタイマースイッチ１８、揚げ物、炊飯、湯沸し、ゆで卵の自動調理のメニューをそれぞれ設定するための各メニュースイッチ１９〜２２、及び、前記各スイッチ１８〜２２を操作して設定した各入力を取り消すための取消しスイッチ２３等を備えている。
【００３７】
タイマ設定部としてのタイマースイッチ１８の「＋」スイッチ１８ａ，「−」スイッチ１８ｂを押すことにより、１分単位で１分〜１２０分迄のタイマ時間を設定することができ、設定されるタイマ時間が、表示部１８ｃに表示される。また、設定された調理モードの実行中は、表示部１８ｃには、残り時間が１分となるまでは１分の時間経過と共にデクリメントされた分単位の残時間が、表示され、残り時間が１分未満になると、残り時間が３０秒なるまでは、「１分」の値が表示され、残り時間が３０秒以下になると、ブザーで報知すると共に、１秒単位で１秒の時間経過と共にデクリメントされた秒単位の残時間が、表示され、残り時間が０になると「０」が１０回点滅し、ガスコンロ部２ａが消火し、設定された調理モードは終了する。
【００３８】
なお、タイマ時間が設定された調理モードの実行中に、タイマースイッチ１８の「＋」スイッチ１８ａ又は「−」スイッチ１８ｂを押すことにより、タイマ時間の設定の変更ができ、設定可能な最大時間は１２０分迄であり、ガスコンロ部２ａの連続使用可能時間は１２０分迄としている。
【００３９】
上記自動調理のメニュースイッチ１９〜２２の内、揚げ物用のメニュースイッチ１９を押すことで揚げものを自動調理で行う揚げ物モードとすることができ、この揚げ物用のメニュースイッチ１９を何回押すかによって、２００℃、１８０℃、１６０℃といった複数種類の揚げ物の調理の中から目的とする温度の揚げ物調理を設定することができる。また、炊飯用のメニュースイッチ２０を押すことで炊飯を自動調理で行う炊飯モードとすることができ、この炊飯用のメニュースイッチ２０を何回押すかによって、ご飯、おかゆといった複数種類の炊飯の調理の中から目的とする炊飯の調理を設定することができる。また、湯沸し用のメニュースイッチ２１を押すことで湯沸しを自動調理で行う湯沸しモードとすることができ、この湯沸し用のメニュースイッチ２１を何回押すかによって、自動消火、５分保温といった湯沸し後にすぐ消火するか、あるいは一定時間保温するかといった湯沸しを選択して設定することができる。
【００４０】
この実施形態では、ゆで卵調理用のメニュースイッチ２２を備えており、このメニュースイッチ２２を１回押すことでゆで卵を自動で行うゆで卵調理モードとすることができると共に、「固ゆで」の仕上がり状態を設定することができ、更に、このゆで卵調理用のメニュースイッチ２２を押す度に、「半熟」、「温泉卵」といった仕上がり状態を選択して設定することができる。すなわち、操作手段としてのゆで卵調理用のメニュースイッチ２２の押圧操作に応じて、ゆで卵調理の、「固ゆで」、「半熟」、「温泉卵」の３種類の仕上がり状態の内、いずれかの仕上がり状態を選択して設定することができる。
【００４１】
この実施形態では、１秒以内に、ゆで卵調理用のメニュースイッチ２２を１回押すと、「固ゆで」、２回押すと、「半熟」、３回押すと、「温泉卵」がそれぞれ設定される。
【００４２】
このゆで卵調理用のメニュースイッチ２２の上方には、選択された仕上がり状態である「固ゆで」、「半熟」、「温泉卵」をそれぞれ表示する第１〜第３表示ランプ２４ａ〜２４ｃが備えられており、いずれかの仕上がり状態が選択されて調理が開始されると、対応するいずれかの表示ランプが点灯し、調理が終了すると、点滅表示に切り替わる。
【００４３】
ガスコンロ用調理設定入力部１７において、標準火力のガスコンロ部２ａによる調理の設定入力が行われると、制御部１１により予め設定された制御内容に基づいて、ガスコンロ部２ａにおける火力調整、調理時間等が制御される。この場合、鍋の底部の温度を温度センサ７ａにより検出して、該温度センサ７ａで検出した鍋の底部の温度を、制御部１１に入力してフィードバック制御により火力調整を行うようになっている。また、制御部１１は、記憶部としてのメモリに、ゆで卵調理用のメニュースイッチ２２の操作によって選択される、「固ゆで」、「半熟」、「温泉卵」の各仕上がり状態にそれぞれ対応するタイマ時間が予め記憶されている。この制御部１１は、タイマースイッチ１８によって設定されるタイマ時間、及び、ゆで卵の各仕上がり状態にそれぞれ対応する前記タイマ時間を計測するタイマ計測部としての機能を有する。
【００４４】
各ガスコンロ部２ａ〜２ｃの使用に当たっては、手動により加熱を行う場合には、コンロ本体１の前面に露出している加熱状態調節部１２ａ〜１２ｃを直接指で操作して制御部１１に指令を与えて点火、火力調整、消火を行うと共に、標準火力のガスコンロ部２ａで自動調理を行う場合には、後述のように、主として制御部１１によりガス流量及び火力が調整されると共に、調理時間が調整される。
【００４５】
また、自動調理の終了、タイマ機能、あるいは、安全装置により異常が検知されることで、自動消火される場合があり、この場合には点火・消火操作部は器具栓をＯＮとする状態であっても安全弁により燃料ガスが遮断されて消火される。
【００４６】
次に、この実施形態のゆで卵調理モードの制御について、図４に基づいて、説明する。
【００４７】
図４は、ゆで卵調理用のメニュースイッチ２２によって、「固ゆで」又は「半熟」のいずれかの仕上がり状態が選択されて加熱が開始された場合の、鍋の底部の検出温度の変化及び火力を示すものであり、横軸が時間を、縦軸が温度を示している。また、鍋内の水温変化のイメージを細い実線で併せて示している。なお、この図４では、微小な温度変化を除去した滑らかな温度変化として示している。
【００４８】
使用者は、鍋に必要な量の水及び卵を入れて、ガスコンロ部２ａに載せ、ゆで卵調理用のメニュースイッチ２２を操作して「固ゆで」または「半熟」を選択した後に、ガスコンロ部２ａを点火する、あるいは、ガスコンロ部２ａを点火した後に、メニュースイッチ２２を操作して「固ゆで」または「半熟」を選択し、ゆで卵調理を開始する。
【００４９】
なお、本グリル付きガスコンロＡの取り扱い説明書には、ゆで卵調理の場合の調理法が記載されており、例えば、ゆでる卵の個数とその個数に応じた必要な水量、沸騰後に卵を投入する場合の操作、あるいは、温泉卵の調理のときの操作といった必要な事項が記載されており、使用者は、それに従って調理を行なう。
【００５０】
ゆで卵調理が開始されると、図３のガスコンロ用調理設定入力部１７の表示部１８ｃには、選択された「固ゆで」または「半熟」に対応するタイマ時間が表示される。具体的には、「固ゆで」が選択された場合には、例えば、１０分が表示され、「半熟」が選択された場合には、例えば、５分が表示される。更に、「固ゆで」または「半熟」に対応する第１または第２表示ランプ２４ａ，２４ｂのいずれかが点灯する。
【００５１】
図４に示すように、加熱が開始されると、温度センサ７ａで検出される鍋の底部の検出温度が、制御開始温度、例えば８０℃になるまでは、使用者が加熱状態調節部１２ａを回動操作して設定した設定火力で加熱を行う。鍋の底部の検出温度が、８０℃になると、使用者によって設定された設定火力を、制御用の火力に切替える。この火力は、上述の５段階の火力「１」〜「５」の内、中程度の火力である火力「３」としている。
【００５２】
この火力「３」による加熱を継続し、鍋の底部の検出温度に基づいて、沸騰状態となったことが検出されると、その時の検出温度である沸騰温度ＴBの時点ｔ１から、「固ゆで」又は「半熟」の各仕上がり状態にそれぞれ対応する前記タイマ時間の計測を開始する。この計測に応じて、表示部１８ｃには、タイマ時間の残り時間が表示される。
【００５３】
この実施形態では、沸騰状態の検出は、温度センサ７ａによる鍋の底部の検出温度が、所定温度、例えば１℃上昇するのに要する時間を計測し、その計測した時間が、所定時間、例えば４０秒を超えた時に沸騰状態として検出するようにしている。
【００５４】
沸騰状態が検出された後、更に、火力「３」での加熱を継続し、鍋の底部の検出温度に基づいて、検出温度が安定する平衡状態が検出されると、その検出時点ｔ２で火力「３」を、火力の弱い火力に切替える。この火力は、上述の５段階の火力「１」〜「５」の内、最も弱い火力である火力「１」としている。
【００５５】
この実施形態では、平衡状態の検出は、一定の判定期間毎、例えば３０秒毎に、その３０秒の判定期間の終了時点の鍋の底部の検出温度Ｔｅから開始時点の鍋の底部の検出温度Ｔｂを差し引いた温度差ΔＴ（＝Ｔｅ−Ｔｂ）が、所定温度範囲、例えば−２℃以上であって＋２℃以下の温度範囲（−２℃≦ΔＴ≦＋２℃）となったときに、平衡状態を検出したとして、その判定期間の終了時点の鍋の底部の検出温度Ｔｅを平衡温度Ｔαとしている。
【００５６】
この平衡状態の検出は、鍋の底部の検出温度が、上記制御開始温度である８０℃になった時点から開始され、例えば３０秒毎に平衡状態になったか否かが判定される。
【００５７】
なお、この平衡温度Ｔαは、判定期間の終了時点の鍋の底部の検出温度Ｔｅに代えて、判定期間の開始時点の鍋の底部の検出温度Ｔｂとしてもよい。特に、平衡温度の検出後に温度が略平坦となってからの検出温度は、風や供給ガス圧の変動など外乱の影響を受け、上昇や下降を繰り返すことから、判定期間の終了時点の検出温度Ｔｅを平衡温度Ｔαとしても開始時点の検出温度Ｔｂを平衡温度Ｔαとしてもよい。
【００５８】
平衡状態を検出した時点ｔ２で火力を、火力「３」から火力「１」へ弱めることによって、鍋の底部の検出温度が下降し、平衡温度Ｔαよりも低い第２設定温度Ｔ２まで下降すると、その時点ｔ３で火力「１」を、この火力「１」よりも強く、かつ、火力「３」と同じか弱い火力に切替える。この実施形態では、この火力を火力「３」としている。
【００５９】
このように第２設定温度Ｔ２になると、火力「３」に切替えて火力を強くするので、鍋の底部の検出温度が再び上昇する。鍋の底部の検出温度が、平衡温度Ｔαよりも低く、かつ、第２設定温度Ｔ２よりも高い第１設定温度Ｔ１になると、その時点ｔ４で火力「３」を、弱い火力「１」に再び切替える。
【００６０】
以後は、同様にして、鍋の底部の検出温度が第２設定温度Ｔ２まで下降したら再び火力を火力「３」に切替え、第１設定温度Ｔ１まで上昇したら再び火力を火力「１」に切替え、鍋の底部の検出温度が、平衡温度Ｔαよりも低い第１，第２設定温度Ｔ１，Ｔ２に基づく温度範囲に制御される。
【００６１】
この第１，第２設定温度Ｔ１，Ｔ２は、沸騰状態を維持できれば、特に制限はないが、平衡温度Ｔαと第１設定温度Ｔ１との温度差は、例えば、７℃以内、好ましくは５℃以内、より好ましくは３℃以内である。また、第１設定温度Ｔ１と第２設定温度Ｔ２との温度差は、例えば、５℃以内、好ましくは３℃以内、より好ましくは１℃以内である。
【００６２】
なお、火力を切替えた直後には、鍋の底部の検出温度が、第１設定温度Ｔ１を上回るオーバーシュートや第２設定温度Ｔ２を下回るアンダーシュートが生じるので、前記温度範囲は、第１，第２設定温度Ｔ１，Ｔ２を上下限とする温度範囲よりはやや広くなっている。
【００６３】
このように鍋の底部の検出温度が、平衡温度Ｔαよりも低い第１，第２設定温度Ｔ１，Ｔ２に基づく温度範囲に制御されて、沸騰状態に維持されている間に、沸騰温度ＴBの検出時点ｔ１から計測を開始したタイマ時間の残時間が零になると、すなわち、タイマ時間が経過すると、具体的には、「固ゆで」が選択されている場合には、１０分、「半熟」が選択されている場合には、５分が経過してタイムアップすると、その時点ｔ５でブザーによって報知すると共に、対応する第１，第２表示ランプ２４ａ，２４ｂのいずれかが点滅し、ガスコンロ部２ａは自動消火して、ゆで卵調理モードを終了する。使用者は、加熱状態調節部１２ａを押し込んで器具栓をＯＦＦにし、電源スイッチ１３を押して電源を切る。
【００６４】
このように使用者は、鍋に必要な量の水及び卵を入れて、ガスコンロ部２ａに載せ、メニュースイッチ２２を１回または２回押して、「固ゆで」または「半熟」のいずれかの仕上がり状態を選択設定して加熱を開始するだけで、自動的に、「固ゆで」または「半熟」のゆで卵が出来上がる。
【００６５】
したがって、従来のように、沸騰状態になったことを確認する必要もなく、タイマ時間設定用の分キーを繰り返して操作して、例えば、１０分や５分といったタイマ時間を設定する必要がなく、メニュースイッチ２２を１回または２回操作するだけでよく、使い勝手が向上する。
【００６６】
図４の例では、鍋に必要な量の水と卵を入れて加熱を開始したけれども、使用者によっては、卵の殻を剥き易くするため、沸騰後に卵を投入する場合がある。
【００６７】
図５は、かかる場合の図４に対応する火力及び鍋の温度変化を示す図である。
【００６８】
この図５では、鍋に必要な量の水のみを入れて、ガスコンロ部２ａに載せ、ゆで卵調理モードの「固ゆで」または「半熟」が設定されて、加熱が開始される。
【００６９】
図４と同様に、温度センサ７ａで検出される鍋の底部の検出温度が、制御開始温度、例えば８０℃になるまでは、使用者が加熱状態調節部１２ａを回動操作して設定した設定火力で加熱を行う。鍋の底部の検出温度が、８０℃になると、使用者によって設定された設定火力を、制御用の火力である「火力３」に切替える。
【００７０】
この火力「３」による加熱を継続し、鍋の底部の検出温度に基づいて、沸騰状態となったことが検出されると、その検出時点ｔ１から、ゆで卵用のメニュースイッチ２２の操作によって選択設定された、「固ゆで」又は「半熟」の各仕上がり状態にそれぞれ対応するタイマ時間の計測を開始する。
【００７１】
沸騰状態が検出された後、更に、火力「３」での加熱を継続し、鍋の底部の検出温度に基づいて、検出温度が安定する平衡状態が検出されると、その検出時点ｔ２で火力「３」を、火力の弱い火力「１」に切替える。
【００７２】
以後は、鍋の底部の検出温度が第２設定温度Ｔ２まで下降したら再び火力を火力「３」に切替え、第１設定温度Ｔ１まで上昇したら再び火力を火力「１」に切替えるのであるが、沸騰状態になると、使用者が、卵を投入し、操作部としてのメニュースイッチ２２を操作する。この卵の投入に伴うメニュースイッチ２２の操作は、上述の取り扱い説明書に従った操作である。
【００７３】
これによって、卵が沸騰後に投入されたとして、沸騰温度ＴBの検出時点ｔ１から計測を開始したタイマ時間を、リセットし、この時点ｔ６からタイマ時間の計測を改めて開始し、このタイマ時間の残時間が零になると、すなわち、タイマ時間が経過すると、その時点ｔ７でブザーによって報知すると共に、対応する第１，第２表示ランプ２４ａ，２４ｂのいずれかが点滅し、ガスコンロ部２ａは自動消火して、ゆで卵調理モードを終了する。使用者は、加熱状態調節部１２ａを押し込んで器具栓をＯＦＦにし、電源スイッチ１３を押して電源を切る。
【００７４】
このように、沸騰後に卵を投入する場合であっても、卵を投入してメニュースイッチ２２を操作した時点ｔ６から改めて、タイマ時間が計測されるので、正しい加熱時間となって、「固ゆで」または「半熟」のゆで卵が出来上がる。
【００７５】
なお、沸騰温度ＴBの検出時点ｔ１から開始したタイマ時間の残時間が、所定時間以下になっても卵の投入に伴うメニュースイッチ２２の操作がないときには、沸騰温度ＴBの検出時点ｔ１から計測を開始したタイマ時間の残時間が零になった時点で、すなわち、タイマ時間が経過した時点でガスコンロ部２ａを自動消火することになる。
【００７６】
次に、「温泉卵」が選択された場合について説明する。温泉卵は、黄身だけが固まり、白身は固まらないように調理する必要があり、沸騰状態を維持したままで調理することはできない。
【００７７】
そこで、鍋に必要な量の水を入れて、ガスコンロ部２ａに載せ、ゆで卵調理モードの「温泉卵」が選択されて加熱が開始され、沸騰温度が検出されると、ブザーによって卵の投入時期であることを使用者に報知する。使用者は、沸騰状態の鍋に卵を投入し、メニュースイッチ２２を操作する。この報知後の卵の投入及びメニュースイッチ２２の操作は、上述の取り扱い説明書の温泉卵の調理方法に従った操作である。
【００７８】
これによって、温泉卵用の卵が投入されたとして、メニュースイッチ２２の操作時点からタイマ時間、例えば１５分の計測を開始すると共に、ガスコンロ部２ａを自動消火する。このように沸騰した状態の鍋に卵を投入し、加熱を停止した状態で、タイマ時間の残り時間が零になると、ブザーによって報知し、ゆで卵調理モードを終了する。使用者は、加熱状態調節部１２ａを押し込んで器具栓をＯＦＦにし、電源スイッチ１３を押して電源を切る。
【００７９】
これによって、沸騰状態の鍋に投入された卵は、沸騰状態の熱湯の余熱によって加熱され、タイマ時間が経過したときには、黄身だけが固まり、白身は固まってない温泉卵が出来上がる。
【００８０】
なお、沸騰状態になったことを報知した後に、所定時間経過しても卵の投入に伴うメニュースイッチ２２の操作がないときには、ガスコンロ部２ａを自動消火する。
【００８１】
（他の実施形態）
上述の実施形態では、沸騰後に卵が投入される場合には、使用者が、メニュースイッチ２２を操作するようにしたけれども、本発明の他の実施形態として、次のようにして沸騰後の卵の投入を検知できるようにし、使用者によるメニュースイッチ２２の操作を省略するようにしてもよい。すなわち、第１，第２設定温度Ｔ１，Ｔ２の温度差を小さく設定すると共に、両設定温度Ｔ１，Ｔ２を平衡温度Ｔαに近い温度に設定し、沸騰後の卵の投入に伴う温度低下によって、検出温度が、第２設定温度Ｔ２未満の所定温度を下回ったときに、卵が投入されたと検知するようにしてもよい。
【００８２】
上述の実施形態では、標準火力のガスコンロ部２ａに適用して説明したが、高火力のガスコンロ部２ｂや小火力のガスコンロ部２ｃに適用することもできる。
【００８３】
上述の実施形態では、火力を５段階にしたが、５段階に限らず、任意であり、また、火力の切替えも火力「１」と火力「３」に限らない。
【００８４】
沸騰状態及び平衡状態の検出は、上述の実施形態に限らず、他の方法で検出してもよい。
【００８５】
上記実施形態では、ガスバーナによって調理容器を加熱したが、ガスバーナに限定されるものではなく、電気ヒータ、ＩＨヒータ等を用いるなどの種々の加熱調理器に適用可能である。
【００８６】
また、加熱調理器は必ずしもビルトインタイプに限られるものではなく、卓上型の加熱調理器であってもよい。
【符号の説明】
【００８７】
Ａ                グリル付きガスコンロ
２ａ〜２ｃ        ガスコンロ部
７ａ〜７ｃ        温度センサ
１１              制御部
１２ａ〜１２ｃ    加熱状態調節部
１７              ガスコンロ用調理設定入力部
１８              タイマースイッチ
２２              ゆで卵調理用メニュースイッチ
【図１】
2014188025.tif 000003
【図２】
2014188025.tif 000004
【図３】
2014188025.tif 000005
【図４】
2014188025.tif 000006
【図５】
2014188025.tif 000007